(57)【要約】【課題】全玄米及び分つき米を、それぞれの玄米の種類に応じた適切な時間及び温度で、簡単においしく炊き上げることができる炊飯器を提供する。【解決手段】玄米のつき具合（精米具合）毎に、吸水時間及び吸水温度のパターンが異なる複数の炊飯メニューを記憶しており、使用者によって選択された炊飯メニューに設定されている温度で（Ｓ１０）、設定されている時間だけ（Ｓ１３）、吸水工程を行う。従って、使用者はつき具合が異なる複数種類の玄米を、１つの炊飯器で簡単においしく炊き上げることができる。また、全く精米されていない全玄米に吸水させる温度を、米の澱粉のアルファ化が開始する温度よりも高い温度にすることで、全玄米への吸水に要する時間が短縮される。【選択図】図４
2008043423.tif 000002
【特許請求の範囲】
【請求項１】
釜を加熱する加熱手段と、
玄米のつき具合毎に定められた、炊飯の工程における吸水時間及び吸水温度を、玄米炊飯メニューとして玄米のつき具合毎に記憶する玄米炊飯メニュー記憶手段と、
玄米のつき具合の１つを選択するつき具合選択手段とを備え、
前記つき具合選択手段により玄米のつき具合が選択された場合には、選択されたつき具合に対応した前記玄米炊飯メニューを前記玄米炊飯メニュー記憶手段から呼び出すとともに、呼び出された前記玄米炊飯メニューに基づき前記加熱手段を制御する加熱制御手段を備えたことを特徴とする炊飯器。
【請求項２】
前記玄米炊飯メニュー記憶手段は、全く精米されていない全玄米を炊飯する際の炊飯メニューである全玄米炊飯メニューを記憶し、
当該全玄米炊飯メニューとして記憶されている吸水温度は、ベータ澱粉のアルファ澱粉へのアルファ化が開始する温度よりも高いことを特徴とする請求項１に記載の炊飯器。
【発明の詳細な説明】
【技術分野】
【０００１】
本発明は炊飯器に関し、詳細には、複数の炊飯メニューを設けた炊飯器に関する。
【背景技術】
【０００２】
従来、複数の炊飯メニューを記憶し、当該炊飯メニューを表示手段によって表示できる炊飯器が知られている。この炊飯器では、使用者が「ふつう」、「やわらかめ」、「かため」、「おかゆ」等、表示手段に表示されている様々な炊飯メニューの中から希望する炊飯メニューの１つを選択する。すると、炊飯器は、選択された炊飯メニューに応じて予め設定された炊飯の工程に従って炊飯を行い、使用者が希望する具合に御飯を炊き上げることができる。
【０００３】
また、近年の健康志向の高まりとともに、繊維質が多く健康によいという理由から玄米が好まれるようになった。そこで、例えば、炊飯メニューに「玄米」及び「発芽玄米」を含む炊飯器が提案されている（例えば、特許文献１参照）。この炊飯器によると、米への吸水工程において、加熱量及び吸水時間を白米、玄米、発芽玄米のそれぞれの場合毎に変えることで、白米のみならず玄米や発芽玄米も１つの炊飯器で炊き上げることができる。
【特許文献１】特開２００４−４９３３７号公報
【発明の開示】
【発明が解決しようとする課題】
【０００４】
しかしながら、玄米の種類は、全く精米されておらず頑強な果皮に覆われている「全玄米」と、つき具合（精米の具合）が度数で表されており、果皮が取り除かれている「分つき米」との２つに大別され、「全玄米」と「分つき米」とでは炊飯の工程が大きく異なる。さらに、「分つき米」に関しても、つき具合によって味や栄養価のみならず最適な炊飯の工程も異なる。しかし、従来の炊飯器においては、玄米の種類に関係なく玄米を一様の時間と一様の水量で炊飯していたため、玄米の種類によっては最適な状態で炊きあがらない場合があった。このため、各種玄米を最適な状態に炊き上げるために、水量等を自分の経験や勘によって調節しなければならない。従って、希望するように玄米が炊き上がらない場合があり、使い勝手が悪いという問題点があった。
【０００５】
前記問題点を解決するための１つの手法としては、釜に入れる水量を増やすと、沸騰している時間が長くなって米の内部まで吸水しやすく、逆に水量を減らすと、沸騰している時間が短くなって吸水しにくくなるという性質を利用して、吸水速度が異なる玄米の種類毎に水量を変え、玄米の種類に対応した炊飯を行うという手法が考えられる。ところが、この方法の場合、釜の内側に多数の水位線を設ける必要があるため、使用者が目印とすべき特定の水位線と他の水位線との見分けがつきにくくなってしまう。
【０００６】
さらに、全く精米をしていない全玄米を炊飯する際、全玄米は強固に吸水を妨げる果皮に覆われているため、吸水に時間がかかり、全玄米の炊飯時間が非常に長くなってしまうという問題点があった。
【０００７】
本発明は、上記課題を解決するためになされたものであり、全玄米及び分つき米を、それぞれの玄米の種類に応じた適切な時間及び温度で、簡単においしく炊き上げることができる炊飯器を提供することを目的とする。
【課題を解決するための手段】
【０００８】
上記目的を達成するために、請求項１に係る発明の炊飯器は、釜を加熱する加熱手段と、玄米のつき具合毎に定められた、炊飯の工程における吸水時間及び吸水温度を、玄米炊飯メニューとして玄米のつき具合毎に記憶する玄米炊飯メニュー記憶手段と、玄米のつき具合の１つを選択するつき具合選択手段とを備え、前記つき具合選択手段により玄米のつき具合が選択された場合には、選択されたつき具合に対応した前記玄米炊飯メニューを前記玄米炊飯メニュー記憶手段から呼び出すとともに、呼び出された前記玄米炊飯メニューに基づき前記加熱手段を制御する加熱制御手段を備えている。
【０００９】
また、請求項２に係る発明の炊飯器は、請求項１に記載の発明の構成に加え、前記玄米炊飯メニュー記憶手段は、全く精米されていない全玄米を炊飯する際の炊飯メニューである全玄米炊飯メニューを記憶し、当該全玄米炊飯メニューとして記憶されている吸水温度は、ベータ澱粉のアルファ澱粉へのアルファ化が開始する温度よりも高いことを特徴とする。
【発明の効果】
【００１０】
請求項１に係る発明の炊飯器では、玄米のつき具合毎に吸水時間及び吸水温度のパターンが異なる複数の炊飯メニューを記憶しており、選択された１つの炊飯メニューに従って、加熱手段を制御して炊飯を行う。従って、使用者は玄米のつき具合毎に水加減等の調節を自らの経験や勘で行う必要がなく、炊飯する玄米に適した炊飯メニューを１つ選択して炊飯を開始させるだけで、つき具合が異なる複数種類の玄米を、１つの炊飯器で簡単においしく炊き上げることができる。
【００１１】
また、請求項２に係る発明の炊飯器では、全く精米されていない全玄米を炊飯する全玄米炊飯メニューを記憶し、この全玄米炊飯メニューが選択されて炊飯を行う場合には、米の澱粉のアルファ化が開始する温度よりも高い温度を吸水温度として炊飯を行う。一般的に、糊状のアルファ澱粉が米の内部への吸水を妨げて、吸水時間が長くなることを防ぐため、吸水温度はアルファ化が開始する温度よりも低い温度にすることが行われている。しかし、全玄米は、アルファ澱粉よりも強固に水の通過を妨げる果皮によって周囲を覆われており、この果皮はアルファ化が開始する温度よりも高温下の方が水を通過させやすい。従って、全玄米を炊飯する際の吸水温度をアルファ化が開始する温度よりも高い温度とすることで、吸水時間を短縮することができる。
【発明を実施するための最良の形態】
【００１２】
以下、本発明の一実施の形態である炊飯器１について、図面を参照して説明する。図１は、炊飯器１の概略構成図であり、図２は、炊飯器１の操作パネル１１を示す図であり、図３は、玄米のつき具合毎に設定された吸水温度、吸水時間、操作パネル１１での表示番号を示した表である。
【００１３】
尚、本実施の形態に係る炊飯器１は、ガスを燃焼させて炊飯を行うガス炊飯器である。そして、白米を炊飯する際の「無洗米」や「おかゆ」等の炊飯メニューに加えて、玄米のつき具合（精米の具合）毎に、全く精米されていない「全玄米」から「三分つき」、「五分つき」、「七分つき」までの各炊飯メニューが設定されており、玄米のつき具合毎に適切な工程で炊飯を行うことができる。
【００１４】
はじめに、炊飯器１の構造について概略的に説明する。図１に示すように、炊飯器１には、米及び水を収納して炊飯器１に着脱自在に収容される釜２と、釜２の上部開口を開閉する内蓋３と、ガスを燃焼させて釜２を加熱するバーナ４と、外部からバーナ４へガスを供給するガス供給路５とが設けられている。ガス供給路５には、ガスの供給を遮断する元電磁弁６と、元電磁弁６とバーナ４との間に並列に配設されて、それぞれ異なるガス量の供給及びガスの遮断を行う第１電磁弁７及び第２電磁弁８とが設けられている。強火での燃焼が行われる場合には第１電磁弁７及び第２電磁弁８の両方が開弁され、弱火での燃焼が行われる場合には第１電磁弁７のみが開弁されて第２電磁弁８は閉弁される。
【００１５】
また、炊飯器１には、載置された釜２の底面の中央部に当接して釜２の底部の温度を検出する釜底温度センサ９と、内蓋３に設けられて釜内の温度を検出する内蓋温度センサ１０とが設けられている。また、炊飯器１の外周部には操作パネル１１が設けられており、この操作パネル１１及び２つの温度センサ９，１０はコントローラ１２に電気的に接続されている。コントローラ１２は、中央演算処理装置であり時間を計時することができるＣＰＵ１３と、当該ＣＰＵ１３を中心に相互に接続されたＲＯＭ１４、ＲＡＭ１５、図示外のＩ／Ｏインタフェイスを備えている。そして、コントローラ１２は、２つの温度センサ９，１０によって検出される温度データ信号と、操作パネル１１から送信される各信号とを受信し、ＣＰＵ１３により計時される炊飯工程の経過時間を管理して、予めＲＯＭ１４に記憶されているプログラムに従って３つの電磁弁６〜８と、操作パネル１１の表示画面３０及び各種ランプ３１〜３５（図２参照）とを制御する。
【００１６】
尚、図示しないが、コントローラ１２は書き換え可能な不揮発性メモリであるＥＥＰＲＯＭ等を備えており、電源が切断された際に電源切断前の炊飯器１の設定等が記憶される。また、ガスに点火するための点火装置や、電力を取得するための電源コード等を備えている。
【００１７】
次に、操作パネル１１について説明する。図２に示すように、操作パネル１１は、各種入力ボタン及び表示装置により構成されている。入力ボタンとしては、予め設定されている複数の炊飯メニューの１つを選択するメニュー選択ボタン２３と、予約時刻を調節するための予約ボタン２７と、炊飯動作を開始させるための炊飯ボタン２８とを有する。尚、２１は、炊飯した米を所定時間保温する動作の開始及び動作の終了を行うための保温ボタンであり、２２は、保温する動作の延長を行うための保温延長ボタンである。また、２４は、現在時刻を調節するための時計あわせボタンであり、２５及び２６は、現在時刻及び予約時刻を調節する際に時調節を行うための時ボタン及び分調節を行うための分ボタンである。
【００１８】
また、表示装置としては、７セグメントディスプレイからなる表示画面３０と、予め設定されている「ひたしおき」「ひたしすぐ」「おかゆ」「無洗米」「玄米」の炊飯メニューの１つを指示して、どの炊飯メニューが選択されているのかを表示する炊飯メニュー表示ランプ３３とが設けられている。尚、「ひたしおき」とは、適切な時間浸水させて水を吸収させた白米を炊飯する炊飯メニューであり、「ひたしすぐ」とは、十分な時間浸水させていない白米を炊飯する炊飯メニューである。また、３１は、保温中であることを示す保温ランプであり、３２は、保温延長中であることを示す保温延長ランプであり、３４は、予約中であることを示す予約ランプであり、３５は、炊飯中であることを示す炊飯中ランプである。また、各種ランプ３１〜３５はＬＥＤからなる。
【００１９】
次に、玄米のつき具合（精米具合）毎に設定される吸水温度及び吸水時間について説明する。図３に示すように、本実施の形態の炊飯器１には、玄米を炊飯する際の炊飯メニューとして、玄米のつき具合が少ない順に「全玄米」、「三分つき」、「五分つき」、「七分つき」の４つの炊飯メニューが設定されている。そして、米に水を吸収させる工程である吸水工程における吸水時間及び吸水温度がそれぞれの炊飯メニュー毎に決められており、「全玄米」ではＴＡ℃でＭＡ分間、「三分つき」ではＴＢ℃でＭＢ分間、「五分つき」ではＴＣ℃でＭＣ分間、「七分つき」ではＴＤ℃でＭＤ分間の吸水工程を経る。
【００２０】
次いで、玄米を炊飯する際の吸水温度について詳細に説明する。米の澱粉は、結晶構造の違いによってベータ澱粉とアルファ澱粉との２つに区別される。ベータ澱粉とは炊飯前の米の澱粉であり、硬くて消化吸収が悪いという性質を持つ。このベータ澱粉が水を吸収して高温になると、やわらかい糊状で消化吸収が良く、美味しいアルファ澱粉に変化する。ここで、ベータ澱粉がアルファ澱粉に変化することをアルファ化と言う。また、米の澱粉のアルファ化が開始する温度は約６５℃であり、さらに温度を上げて７０℃〜８０℃になるとアルファ化が促進される。米を炊く際、米粒の内部までしっかりと吸水させて炊くと、米全体がアルファ化してやわらかくなり、ふっくらとして美味しい御飯が炊き上がるが、一方で、吸水が十分に行われないまま炊飯を行うと、米の内部に芯が残ってしまう。
【００２１】
そして、果皮が取り除かれた「分つき米」は低温下よりも高温下の方が水を吸収しやすいが、吸水時の水の温度をアルファ化する温度よりも高い温度まで上昇させると、その表面がアルファ澱粉で覆われる。すると、糊状のアルファ澱粉は水を通過させにくいため、「分つき米」の内部への吸水が妨げられ、かえって吸水の時間が長くなってしまう。従って、吸水時間の短縮を図るために、「分つき米」における吸水温度ＴＢ，ＴＣ，ＴＤをアルファ化が開始する温度よりも低い温度に設定するとともに、つき具合毎に適切な吸水時間ＭＢ，ＭＣ，ＭＤを設定することで、精米具合が異なるそれぞれの「分つき米」毎に最適な吸水工程を行うことができる。
【００２２】
一方、全く精米をしていない全玄米は、繊維質を多く含んだ果皮によって周囲を覆われており、果皮は糊状のアルファ澱粉よりも強固に水の通過を妨げることから、４０℃〜６５℃の吸水温度では吸水時間が著しく長くなってしまう。そこで、全玄米を覆っている果皮は、アルファ化が開始する温度よりも高温の方が水を通過させやすいという特性を利用し、「全玄米」の炊飯工程における吸水温度ＴＡをアルファ化が開始する温度よりも高い温度とすることで、全玄米への吸水時間ＭＡの短縮を実現している。
【００２３】
次に、操作パネル１１を用いた炊飯メニューの選択方法について説明する。使用者は操作パネル１１を操作することにより、複数の炊飯メニューの中の１つを選択して炊飯を行うことができる。使用者によってメニュー選択ボタン２３が押下される度に、炊飯メニュー表示ランプ３３において点灯するランプが１つ下のランプへ変更される。そして、点灯するランプが「無洗米」から「玄米」へ変更される場合には、同時に表示画面３０に全玄米炊飯メニューを示す「０」が表示され、その後はメニュー選択ボタン２３が押下される度に、「玄米」のランプが点灯されたまま表示画面３０に表示される数字が「３」、「５」、「７」に順次変更される。図３に示すように、表示画面３０に表示される数字は「０」が全玄米を、「３」が三分つきを、「５」が五分つきを、「７」が七分つきを示す。尚、表示画面３０に「７」が表示されている際にメニュー選択ボタン２３が押下されると、表示画面３０の表示が消去されて、点灯するランプが「玄米」から「ひたしおき」に変更される。使用者は、希望する炊飯メニューが表示されるまでメニュー選択ボタン２３を押下した後炊飯ボタン２８を押下することにより、所望の炊飯工程を炊飯器１に実行させることができる。
【００２４】
以下、本実施の形態における炊飯器１の炊飯制御について図面を参照して説明する。尚、炊飯器１には多数の炊飯メニューが設定されているが、説明の簡単のため、予め浸水させた白米を炊飯するひたしおき炊飯メニューと、玄米のつき具合毎に設定された本発明の特徴である全玄米炊飯メニュー、三分つき炊飯メニュー、五分つき炊飯メニュー、七分つき炊飯メニューの計５つの炊飯メニューについて説明する。そして、炊飯器１の制御を行うプログラムはコントローラ１２に設けられたＲＯＭ１４に記憶され、ＣＰＵ１３において実行される。
【００２５】
はじめに、図４のフローチャート及び図５を参照して、ひたしおき炊飯メニューを実行する際の炊飯処理について説明する。図４は、炊飯器１の炊飯処理のフローチャートであり、図５は、ひたしおき炊飯メニューの温度変化の一例を示すグラフである。先述したように、ひたしおき炊飯メニューとは、適切な時間浸水させて水を吸収させた白米を炊飯する炊飯メニューである。
【００２６】
操作パネル１１のメニュー選択ボタン２３が操作されて炊飯メニュー表示ランプ３３の「ひたしおき」が点灯している際に炊飯ボタン２８が押下されると、ひたしおき炊飯メニューを実行する炊飯処理が開始される。そして、選択された炊飯メニューがひたしおき炊飯メニューであるか否かが判断される。ひたしおき炊飯メニューであった場合には（Ｓ１：ＹＥＳ）、炊飯器１にセットされている白米への吸水はすでに行われているため、吸水工程を経ずに、周知である所定の炊き上げ処理が行われる（Ｓ１４）。すると、図５に示すように、吸水工程を経ずに温度が上昇し、沸騰が開始する。そして、水分が蒸発することに伴い再び温度が上昇すると、バーナ４による加熱が停止され、温度が下降して炊飯が終了する。
【００２７】
次に、図４のフローチャートを参照して、玄米に関する炊飯メニューを実行する際の炊飯処理について説明する。玄米に関する炊飯メニューには、先述したように、玄米のつき具合（精米具合）毎に設けられた「全玄米」、「三分つき」、「五分つき」、「七分つき」の４つの炊飯メニューが設定されている。操作パネル１１のメニュー選択ボタン２３が操作されて炊飯メニュー表示ランプ３３の「玄米」が点灯しているとともに、表示画面３０に「０（全玄米）」、「３（三分つき）」、「５（五分つき）」、「７（七分つき）」のいずれかが表示されている際に炊飯ボタン２８が押下されると、玄米の炊飯処理が開始される。
【００２８】
はじめに、選択された炊飯メニュー毎に、吸水工程における吸水温度及び吸水時間（図３参照）を設定する。選択された炊飯メニューがひたしおき炊飯メニューでなければ（Ｓ１：ＮＯ）、選択された炊飯メニューが全玄米炊飯メニューであるか否かが判断される（Ｓ２）。全玄米炊飯メニューであった場合には（Ｓ２：ＹＥＳ）、吸水温度がＴＡ℃に、吸水時間がＭＡ分に設定される（Ｓ３）。全玄米炊飯メニューでなかった場合には（Ｓ２：ＮＯ）、三分つき炊飯メニューであるか否かが判断され（Ｓ４）、三分つき炊飯メニューであった場合には（Ｓ４：ＹＥＳ）、吸水温度がＴＢ℃に、吸水時間がＭＢ分に設定される（Ｓ５）。三分つき炊飯メニューでなかった場合には（Ｓ４：ＮＯ）、五分つき炊飯メニューであるか否かが判断され（Ｓ６）、五分つき炊飯メニューであった場合には（Ｓ６：ＹＥＳ）、吸水温度がＴＣ℃に、吸水時間がＭＣ分に設定される（Ｓ７）。五分つき炊飯メニューでなかった場合には（Ｓ６：ＮＯ）、選択された炊飯メニューは七分つき炊飯メニューであるため、吸水温度がＴＤ℃に、吸水時間がＭＤ分に設定される（Ｓ８）。
【００２９】
次いで、吸水温度及び吸水時間の設定が終了すると、電磁弁６〜８が開弁されて点火され、ガスの燃焼が行われる（Ｓ９）。そして、釜内温度が設定されている吸水温度（ＴＡ〜ＴＤのいずれかの温度）に達したか否かの判断が行われ（Ｓ１０）、設定されている吸水温度に達するまでこの判断は繰り返し行われる（Ｓ１０：ＮＯ）。設定されている吸水温度に達したと判断されると（Ｓ１０：ＹＥＳ）、電磁弁６〜８が閉弁されて消火され（Ｓ１１）、設定されている吸水時間（ＭＡ〜ＭＤのいずれかの時間）を計測するカウンタがセットされる（Ｓ１２）。次いで、このカウンタの値を用いて、設定されている吸水時間が経過したか否かの判断が行われ（Ｓ１３）、時間が経過するまでこの判断は繰り返し行われる（Ｓ１３：ＮＯ）。設定されている吸水時間が経過したと判断されると（Ｓ１３：ＹＥＳ）、所定の炊き上げ処理が行われる（Ｓ１４）。
【００３０】
次に、図６及び図７を参照して、玄米に関する各炊飯メニューを実行した際の温度推移の一例について説明する。図６は、全玄米炊飯メニューを実行した際の温度変化の一例を示すグラフであり、図７は、三分つき炊飯メニューを実行した際の温度変化の一例を示すグラフである。尚、五分つき炊飯メニュー及び七分つき炊飯メニューにおける温度推移に関しては、三分つき炊飯メニューの場合と同様に、アルファ化が開始する温度よりも低い温度で吸水工程を行うため、温度推移も近似している。従って、この説明は省略する。
【００３１】
まず、全玄米炊飯メニューを実行する際の温度推移について説明する。図６に示すように、全玄米炊飯メニューを実行する際の炊飯器１は、米の澱粉のアルファ化が開始する温度（約６５℃）よりも高い温度であるＴＡ℃に達するまで釜内温度を上昇させてガスを消火し、そこからＭＡ分間の吸水工程を行う。先述したように、全玄米炊飯メニューにおける吸水温度を、アルファ化が開始する温度よりも高い温度であるＴＡ℃とすることで、水の吸収を妨げる果皮の内側への吸水時間の短縮を実現している。
【００３２】
次いで、三分つき炊飯メニューを実行する際の温度推移について説明する。図７に示すように、三分つき炊飯メニューを実行する際の炊飯器１は、まず釜内温度を上昇させ、アルファ化が開始する温度（約６５℃）よりも低い温度であるＴＢ℃に達すると、消火して吸水工程を行う。三分つき米の表面にはぬか層が残っており、ぬか層が取り除かれた白米に比べて吸水しにくいため、ＭＢ分間の吸水時間を経て十分に水を吸水させた後に炊き上げ処理に移行する。
【００３３】
以上説明したように、本実施の形態における炊飯器１によると、玄米のつき具合によって異なる複数の炊飯メニューを設け、炊飯メニュー毎に適切な吸水温度及び吸水時間で吸水工程を行うため、全玄米及び分つき米を簡単においしく炊き上げることができる。また、全く精米されていない全玄米を炊飯する際、米の澱粉がアルファ化する温度（約６５℃）よりも高いＴＡ℃で吸水工程を行うため、水の吸収を妨げる果皮の内側への吸水時間を短縮することができる。
【００３４】
また、米の量に応じて釜２に入れる水量を、玄米のつき具合毎に変える必要がない。すなわち、水量を増やすと沸騰している時間が長くなり、玄米の内部まで吸水しやすい。一方で、水量を減らすと沸騰している時間が短くなり、吸水しにくくなる。この性質を利用して、吸水速度が異なる玄米のつき具合毎に水量を変える場合には、使用者が行う作業が煩雑になるとともに、釜２の内側に水位線（図示外）を多数設けなければならないため、使用者が目印とすべき特定の水位線と他の水位線との見分けがつきにくくなる。しかし、本実施の形態に係る炊飯器１では、沸騰時間ではなく吸水温度及び吸水時間に差を設けることで、吸水速度の異なる４種類の玄米のそれぞれに適した吸水工程を行うことを実現した。従って、４種類の玄米の炊飯を全て同じ水量で行うことができるため、使い勝手がよい。
【００３５】
尚、上記実施の形態において、バーナ４が「加熱手段」に相当し、コントローラ１２のＲＯＭ１４が「玄米炊飯メニュー記憶手段」に相当し、操作パネル１１が「つき具合選択手段」に相当する。また、電磁弁６〜８を制御してバーナ４の燃焼量を調節するコントローラ１２のＣＰＵ１３が「加熱制御手段」に相当する。
【００３６】
また、本発明は、上記実施の形態に限定されることなく、各種の変形が可能である。まず、本実施の形態では玄米を炊飯する炊飯メニューとして４つの炊飯メニューを設けたが、玄米のつき具合毎にさらに細分化して多数の玄米の炊飯メニューを設けてもよいし、炊飯メニューの数を減らしてもよい。また、上記実施の形態では、吸水工程の際は電磁弁６〜８を閉弁して消火していたが、断続的に、若しくは継続的に加熱しながら吸水工程を行ってもよい。
【産業上の利用可能性】
【００３７】
本発明は、ガス炊飯器に限らず、電気炊飯器等の他の加熱手段を用いた炊飯器にも適用可能である。
【図面の簡単な説明】
【００３８】
【図１】炊飯器１の概略構成図である。
【図２】炊飯器１の操作パネル１１を示す図である。
【図３】玄米のつき具合毎に設定された吸水温度、吸水時間、操作パネル１１での表示番号を示した表である。
【図４】炊飯器１の炊飯処理のフローチャートである。
【図５】ひたしおき炊飯メニューの温度変化の一例を示すグラフである。
【図６】全玄米炊飯メニューの温度変化の一例を示すグラフである。
【図７】三分つき炊飯メニューの温度変化の一例を示すグラフである。
【符号の説明】
【００３９】
１  炊飯器
２  釜
４  バーナ
１１  操作パネル
１２  コントローラ
１３  ＣＰＵ
１４  ＲＯＭ
２３  メニュー選択ボタン
３０  表示画面
３３  炊飯メニュー表示ランプ
【図１】
2008043423.tif 000003
【図２】
2008043423.tif 000004
【図３】
2008043423.tif 000005
【図４】
2008043423.tif 000006
【図５】
2008043423.tif 000007
【図６】
2008043423.tif 000008
【図７】
2008043423.tif 000009